(57)【要約】【課題】無線タグ回路素子に記憶した情報のセキュリティーを向上する。【解決手段】起動制御装置１００のスキャナ部２００は、ＩＣ回路部１５０とアンテナ１５１とを有する特定の複数の無線タグ回路素子Ｔoとの間で無線通信により情報の送受信を行うアンテナ４と、制御回路２０２とを備える。起動制御装置１００の中央制御部１０４及び制御回路２０２は、アンテナ４を介し、第１無線タグ回路素子Ｔo及びこれと異なる別の第２無線タグ回路素子Ｔoへそれぞれアクセスし、第１無線タグ回路素子Ｔoから所定の暗号鍵で暗号化された情報の読み取りを行うとともに、第２無線タグ回路素子Ｔoから所定の暗号鍵の読み取りを行い、暗号化された情報を復号化し、復号化後の情報を取得する。【選択図】  図４
2006277211.tif 000002
【特許請求の範囲】
【請求項１】
情報を記憶するＩＣ回路部とこのＩＣ回路部に接続されたタグ側アンテナとを有する特定の複数の無線タグ回路素子との間で無線通信により情報の送受信を行う読み取り装置側アンテナと、
この読み取り装置側アンテナを介し、前記複数の無線タグ回路素子のうち１つの第１無線タグ回路素子及びこれとは異なる別の第２無線タグ回路素子へそれぞれアクセスし、前記第１無線タグ回路素子の前記ＩＣ回路部から所定の暗号鍵で暗号化された情報の読み取りを行うとともに、前記第２無線タグ回路素子の前記ＩＣ回路部から前記所定の暗号鍵の読み取りを行う情報読み取り手段と、
この情報読み取り手段で取得された前記所定の暗号鍵を用いて前記暗号化された情報を復号化し、当該復号化後の情報を取得する復号化手段とを有することを特徴とする無線タグ情報読み取り装置。
【請求項２】
請求項１記載の無線タグ情報読み取り装置において、
前記情報読み取り手段は、
前記第１無線タグ回路素子へのアクセス情報を生成し、前記読み取り装置側アンテナを介して当該第１無線タグ回路素子へ送信し、そのＩＣ回路部に記憶された前記暗号化された情報の読み取りを行う第１アクセス手段と、
前記第２無線タグ回路素子へのアクセス情報を生成し、前記読み取り装置側アンテナを介して当該第２無線タグ回路素子へ送信し、そのＩＣ回路部に記憶された前記所定の暗号鍵の読み取りを行う第２アクセス手段とを備え、
前記復号化手段は、前記第２アクセス手段で取得した前記所定の暗号鍵を用いて、前記第１アクセス手段で取得した前記暗号化された情報を復号化することを特徴とする無線タグ情報読み取り装置。
【請求項３】
請求項２記載の無線タグ情報読み取り装置において、
前記第２アクセス手段は、前記第２無線タグ回路素子の前記ＩＣ回路部から、前記所定の暗号鍵に加え、前記所定の暗号鍵とは別の暗号鍵で暗号化された情報の読み取りを行い、
前記第１アクセス手段は、前記第１無線タグ回路素子の前記ＩＣ回路部から、前記所定の暗号鍵で暗号化された情報に加え、前記別の暗号鍵の読み取りを行い、
前記復号化手段は、
前記第２アクセス手段で取得した前記所定の暗号鍵を用いて前記第１アクセス手段で取得した前記暗号化された情報を復号化するとともに、
前記第１アクセス手段で取得した前記別の暗号鍵を用いて前記第２アクセス手段で取得した前記暗号化された情報を復号化することを特徴とする無線タグ情報読み取り装置。
【請求項４】
請求項２記載の無線タグ情報読み取り装置において、
前記第２アクセス手段は、前記第２無線タグ回路素子の前記ＩＣ回路部から、前記所定の暗号鍵に加え、前記所定の暗号鍵とは別の暗号鍵で暗号化された情報の読み取りを行い、
前記情報読み取り手段はさらに、前記第２無線タグ回路素子とは異なる第３無線タグ回路素子の前記ＩＣ回路部に記憶された、前記別の暗号鍵の読み取りを行う第３アクセス手段を備え、
前記復号化手段は、
前記第２アクセス手段で取得した前記所定の暗号鍵を用いて前記第１アクセス手段で取得した前記暗号化された情報を復号化するとともに、
前記第３アクセス手段で取得した前記別の暗号鍵を用いて前記第２アクセス手段で取得した前記暗号化された情報を復号化することを特徴とする無線タグ情報読み取り装置。
【請求項５】
請求項２乃至４のいずれか１項記載の無線タグ情報読み取り装置において、
前記復号化手段で取得した、複数の前記復号化後の情報どうしが、互いに予め定められた所定の関係を満たすかどうか照合判定を行う照合手段を有することを特徴とする無線タグ情報読み取り装置。
【請求項６】
請求項５記載の無線タグ情報読み取り装置において、
前記照合手段は、前記複数の復号化後の情報どうしが実質的に一致するかどうかを判定することを特徴とする無線タグ情報読み取り装置。
【請求項７】
請求項５又は６記載の無線タグ情報読み取り装置において、
前記照合手段は、互いに照合の対象であることを示す照合識別情報が共通に備えられた特定の前記複数の無線タグ回路素子から前記情報読み取り手段で読み取られ、前記復号化手段でそれぞれ取得された前記復号化後の情報について、前記照合判定を行うことを特徴とする無線タグ情報読み取り装置。
【請求項８】
請求項７記載の無線タグ情報読み取り装置において、
前記照合識別情報に基づき、照合対象となる前記複数の無線タグ回路素子を特定する照合タグ特定手段を備え、
前記照合手段は、前記照合タグ特定手段で特定された前記複数の無線タグ回路素子から前記情報読み取り手段で読み取られ、前記復号化手段でそれぞれ取得された前記復号化後の情報について、前記照合判定を行うことを特徴とする無線タグ情報読み取り装置。
【請求項９】
情報を記憶するＩＣ回路部とこのＩＣ回路部に接続されたタグ側アンテナとを有する特定の複数の無線タグ回路素子との間で無線通信により情報の送受信を行う書き込み装置側アンテナと、
この書き込み装置側アンテナを介し、前記複数の無線タグ回路素子のうち第１無線タグ回路素子及びこれとは異なる第２無線タグ回路素子へそれぞれアクセスし、前記第１無線タグ回路素子の前記ＩＣ回路部に所定の暗号鍵で暗号化された書き込み情報の書き込みを行うとともに、前記第２無線タグ回路素子の前記ＩＣ回路部に前記所定の暗号鍵の書き込みを行う情報書き込み手段とを有することを特徴とする無線タグ情報書き込み装置。
【請求項１０】
請求項９記載の無線タグ情報書き込み装置において、
前記情報書き込み手段は、
前記第２無線タグ回路素子の前記ＩＣ回路部に、前記所定の暗号鍵に加え、前記所定の暗号鍵とは別の暗号鍵で暗号化された書き込み情報の書き込みを行うことを特徴とする無線タグ情報書き込み装置。
【請求項１１】
請求項９又は１０記載の無線タグ情報書き込み装置において、
少なくとも前記所定の暗号鍵又は前記別の暗号鍵を生成可能な暗号鍵生成手段を有することを特徴とする無線タグ情報書き込み装置。
【請求項１２】
請求項１１記載の無線タグ情報書き込み装置において、
前記暗号鍵生成手段で生成した暗号鍵を用いて、暗号化対象の書き込み情報を暗号化する暗号化手段を備えることを特徴とする無線タグ情報書き込み装置。
【請求項１３】
請求項１２記載の無線タグ情報書き込み装置において、
前記複数の無線タグ回路素子の前記ＩＣ回路部の記憶情報が互いに照合の対象であることを示す照合識別情報を生成する照合識別情報生成手段を有し、
前記情報書き込み手段は、前記書き込み装置側アンテナを介し、対応する前記複数の無線タグ回路素子の前記ＩＣ回路部に、前記照合識別情報生成手段で生成した前記照合識別情報を共通に書き込むことを特徴とする無線タグ情報書き込み装置。
【請求項１４】
請求項９乃至１３のいずれか１項記載の無線タグ情報書き込み装置において、
前記書き込み情報を生成する書き込み情報生成手段を有することを特徴とする無線タグ情報書き込み装置。
【請求項１５】
請求項１３又は１４記載の無線タグ情報書き込み装置において、
前記照合識別情報生成手段又は前記書き込み情報生成手段は、擬似乱数を用いた手法にてデータ生成を行う手段であることを特徴とする無線タグ情報書き込み装置。
【請求項１６】
情報を記憶するＩＣ回路部とこのＩＣ回路部に接続されるタグ側アンテナとをそれぞれ備えた、第１無線タグ回路素子及び第２無線タグ回路素子を含む無線タグ回路素子群であって、
前記第１無線タグ回路素子の前記ＩＣ回路部は、所定の暗号鍵で暗号化された情報と、前記所定の鍵とは別の暗号鍵とを記憶保持し、
前記第２無線タグ回路素子の前記ＩＣ回路部は、前記別の暗号鍵で暗号化された情報と、前記所定の鍵とを記憶保持することを特徴とする無線タグ回路素子群。
【発明の詳細な説明】
【技術分野】
【０００１】
本発明は、外部より無線通信を介し無線タグ回路素子に対し情報の読み取り及び書き込みをそれぞれ行う無線タグ情報読み取り装置及び無線タグ情報書き込み装置、並びに無線タグ回路素子を複数個を備えた無線タグ回路素子群に関するものである。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグは、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、物品管理や検査工程等の様々な分野において実用が期待されている。
【０００３】
例えばこの無線タグをセキュリティーシステムに応用した例として、例えば特許文献１に記載のものがある。この従来技術は、空港における乗客の手荷物の引渡しに応用したものであり、手荷物に装着する手荷物タグの本券と半券とにそれぞれ無線タグ回路素子を備えている。そして、手荷物引取り人の持つ半券の無線タグ回路素子に記憶された情報と、手荷物に装着された本券の無線タグ回路素子に記憶された情報とを照合することにより、半券を所持する者を手荷物引取り人として認定し、手荷物を引き渡すようになっている。
【特許文献１】特開平８−１２７４２０号公報
【発明の開示】
【発明が解決しようとする課題】
【０００４】
しかしながら、上記従来技術では、２つの無線タグ回路素子に同一内容の情報を記憶させておき、それを後に一致照合（＝一致するかどうかを確認）するだけである。このため、例えば一方の無線タグ回路素子（上記の例では例えば手荷物タグの半券側）が第三者に拾得されると他人に手荷物が引き渡される可能性があり、また他方の無線タグ回路素子（上記の例では例えば手荷物タグの本券側）に対し情報読み取りを行って複製を行えば容易に照合対象の上記一方の無線タグ回路素子（手荷物タグの半券）が偽造でき、この場合も他人に手荷物が引き渡される可能性がある。このように、上記従来技術では無線タグ回路素子に記憶した情報のセキュリティー確保上、問題があった。
【０００５】
本発明の目的は、無線タグ回路素子に記憶した情報のセキュリティーを向上できる無線タグ情報読み取り装置、無線タグ情報書き込み装置、及びその無線タグ回路素子を備えた無線タグ回路素子群を提供することにある。
【課題を解決するための手段】
【０００６】
上記目的を達成するために、第１の発明は、情報を記憶するＩＣ回路部とこのＩＣ回路部に接続されたタグ側アンテナとを有する特定の複数の無線タグ回路素子との間で無線通信により情報の送受信を行う読み取り装置側アンテナと、この読み取り装置側アンテナを介し、前記複数の無線タグ回路素子のうち第１無線タグ回路素子及びこれとは異なる別の第２前記無線タグ回路素子へそれぞれアクセスし、前記第１無線タグ回路素子の前記ＩＣ回路部から所定の暗号鍵で暗号化された情報の読み取りを行うとともに、前記第２無線タグ回路素子の前記ＩＣ回路部から前記所定の暗号鍵の読み取りを行う情報読み取り手段と、この情報読み取り手段で取得された前記所定の暗号鍵を用いて前記暗号化された情報を復号化し、当該復号化後の情報を取得する復号化手段とを有することを特徴とする。
【０００７】
本願第１発明においては、第１無線タグ回路素子のＩＣ回路部には本来の読み取り情報を暗号化した情報が記憶保持され、第２無線タグ回路素子のＩＣ回路部には上記暗号化の際の所定の暗号鍵（例えば共通鍵、秘密鍵でもよい）が記憶保持されており、情報読み取り手段でそれら暗号化された情報と暗号鍵とを読み取り、復号化手段で当該暗号鍵を用いて暗号化された情報を復号化することにより、復号化後の（本来読み取りたい）情報を取得する。
【０００８】
このように、暗号化データと、その暗号化時の鍵を、別の無線タグ回路素子に記憶保持させて読み取る構成とすることにより、例えば暗号化された情報のみを記憶保持した第１無線タグ回路素子を第三者が拾得してもこれを復号化して情報を得ることはできず、あるいは暗号鍵のみを記憶保持した第２無線タグ回路素子を第三者が拾得しても暗号化された情報自体がないため同様に情報を得ることはできない。この結果、両方の無線タグ回路素子を同一の第三者に拾得されないかぎり、情報が盗まれることはないので、セキュリティーを向上することができる。
【０００９】
第２発明は、上記第１発明において、前記情報読み取り手段は、前記第１無線タグ回路素子へのアクセス情報を生成し、前記読み取り装置側アンテナを介して当該第１無線タグ回路素子へ送信し、そのＩＣ回路部に記憶された前記暗号化された情報の読み取りを行う第１アクセス手段と、前記第２無線タグ回路素子へのアクセス情報を生成し、前記読み取り装置側アンテナを介して当該第２無線タグ回路素子へ送信し、そのＩＣ回路部に記憶された前記所定の暗号鍵の読み取りを行う第２アクセス手段とを備え、前記復号化手段は、前記第２アクセス手段で取得した前記所定の暗号鍵を用いて、前記第１アクセス手段で取得した前記暗号化された情報を復号化することを特徴とする。
【００１０】
読み取り手段に備えられた第１アクセス手段で暗号化された情報の読み取りを行い、第２アクセス手段で上記暗号化された情報の所定の暗号鍵の読み取りを行うことで、暗号化された情報と暗号鍵とが揃うので、復号化手段において復号化を行うことができる。
【００１１】
第３発明は、上記第２発明において、前記第２アクセス手段は、前記第２無線タグ回路素子の前記ＩＣ回路部から、前記所定の暗号鍵に加え、前記所定の暗号鍵とは別の暗号鍵で暗号化された情報の読み取りを行い、前記第１アクセス手段は、前記第１無線タグ回路素子の前記ＩＣ回路部から、前記所定の暗号鍵で暗号化された情報に加え、前記別の暗号鍵の読み取りを行い、前記復号化手段は、前記第２アクセス手段で取得した前記所定の暗号鍵を用いて前記第１アクセス手段で取得した前記暗号化された情報を復号化するとともに、前記第１アクセス手段で取得した前記別の暗号鍵を用いて前記第２アクセス手段で取得した前記暗号化された情報を復号化することを特徴とする。
【００１２】
読み取り手段に備えられた第１アクセス手段で、所定の暗号鍵で暗号化された情報及び別の暗号鍵の読み取りを行い、第２アクセス手段で、上記別の暗号鍵で暗号化された情報及び所定の暗号鍵の読み取りを行うことで、暗号化された情報と暗号鍵とが２組とも揃うので、復号化手段においてそれぞれの復号化を行うことができる。
【００１３】
第４発明は、上記第２発明において、前記第２アクセス手段は、前記第２無線タグ回路素子の前記ＩＣ回路部から、前記所定の暗号鍵に加え、前記所定の暗号鍵とは別の暗号鍵で暗号化された情報の読み取りを行い、前記情報読み取り手段はさらに、前記第２無線タグ回路素子とは異なる第３無線タグ回路素子の前記ＩＣ回路部に記憶された、前記別の暗号鍵の読み取りを行う第３アクセス手段を備え、前記復号化手段は、前記第２アクセス手段で取得した前記所定の暗号鍵を用いて前記第１アクセス手段で取得した前記暗号化された情報を復号化するとともに、前記第３アクセス手段で取得した前記別の暗号鍵を用いて前記第２アクセス手段で取得した前記暗号化された情報を復号化することを特徴とする。
【００１４】
本願第４発明においては、第１無線タグ回路素子のＩＣ回路部に記憶された所定の暗号鍵で暗号化された情報が、読み取り手段に備えられた第１アクセス手段で読み取られる。このとき、上記所定の暗号鍵は第２無線タグ回路素子のＩＣ回路部に記憶されており第２アクセス手段で読み取られるが、当該第２無線タグ回路素子のＩＣ回路部には、別の暗号鍵で暗号化された情報が記憶され、併せて第２アクセス手段で読み取られる。そしてその別の暗号鍵は、さらに別の第３無線タグ回路素子のＩＣ回路部に記憶されており、第３アクセス手段で読み取られる。
このようにすることで、すべての無線タグ回路素子のＩＣ回路部に暗号化された情報を記憶するとともに、その暗号鍵を当該無線タグ回路素子とは異なる無線タグ回路素子のＩＣ回路部に記憶することができ、セキュリティーを向上することができる。
【００１５】
第５発明は、上記第２乃至第４発明のいずれかにおいて、前記復号化手段で取得した、複数の前記復号化後の情報どうしが、互いに予め定められた所定の関係を満たすかどうか照合判定を行う照合手段を有することを特徴とする。
【００１６】
これにより、その照合手段の照合判定結果に応じて対応する作動部材、作動機器等が動作可能となるようにすることで、当該部材・機器の動作セキュリティーを向上することができる。
【００１７】
第６発明は、上記第５発明において、前記照合手段は、前記複数の復号化後の情報どうしが実質的に一致するかどうかを判定することを特徴とする。
【００１８】
これにより、例えば復号化後の情報どうしが一致したときのみ、対応する作動部材、作動機器等が動作可能とでき、当該部材・機器の動作セキュリティーを向上することができる。
【００１９】
第７発明は、上記第５又は第６発明において、前記照合手段は、互いに照合の対象であることを示す照合識別情報が共通に備えられた特定の前記複数の無線タグ回路素子から前記情報読み取り手段で読み取られ、前記復号化手段でそれぞれ取得された前記復号化後の情報について、前記照合判定を行うことを特徴とする。
【００２０】
これにより、照合対象の情報を照合識別情報を手がかりに容易に見つけ出すことが可能となる。
【００２１】
第８発明は、上記第７発明において、前記照合識別情報に基づき、照合対象となる前記複数の無線タグ回路素子を特定する照合タグ特定手段を備え、前記照合手段は、前記照合タグ特定手段で特定された前記複数の無線タグ回路素子から前記情報読み取り手段で読み取られ、前記復号化手段でそれぞれ取得された前記復号化後の情報について、前記照合判定を行うことを特徴とする。
【００２２】
照合識別情報を手がかりに照合タグ特定手段で特定した複数の無線タグ回路素子から読み取られ、複合化された情報を、照合手段で照合することで、照合判定を行うことができる。
【００２３】
上記目的を達成するために、第９発明は、情報を記憶するＩＣ回路部とこのＩＣ回路部に接続されたタグ側アンテナとを有する特定の複数の無線タグ回路素子との間で無線通信により情報の送受信を行う書き込み装置側アンテナと、この書き込み装置側アンテナを介し、前記複数の無線タグ回路素子のうち第１無線タグ回路素子及びこれとは異なる第２無線タグ回路素子へそれぞれアクセスし、前記第１無線タグ回路素子の前記ＩＣ回路部に所定の暗号鍵で暗号化された書き込み情報の書き込みを行うとともに、前記第２無線タグ回路素子の前記ＩＣ回路部に前記所定の暗号鍵の書き込みを行う情報書き込み手段とを有することを特徴とする。
【００２４】
本願第９発明においては、情報書き込み手段で、第１無線タグ回路素子のＩＣ回路部に書き込み情報を暗号化した情報を書き込んで記憶保持し、第２無線タグ回路素子のＩＣ回路部に上記暗号化の際の所定の暗号鍵を書き込んで記憶保持する。
【００２５】
このように、暗号化データと、その暗号化時の鍵を、別の無線タグ回路素子に記憶保持させる構成とすることにより、例えば暗号化された情報のみを記憶保持した第１無線タグ回路素子を第三者が拾得してもこれを復号化して情報を得ることはできず、あるいは暗号鍵のみを記憶保持した第２無線タグ回路素子を第三者が拾得しても暗号化された情報自体がないため同様に情報を得ることはできない。この結果、両方の無線タグ回路素子を同一の第三者に拾得されないかぎり、情報が盗まれることはないので、セキュリティーを向上することができる。
【００２６】
第１０発明は、上記第９発明において、前記情報書き込み手段は、前記第２無線タグ回路素子の前記ＩＣ回路部に、前記所定の暗号鍵に加え、前記所定の暗号鍵とは別の暗号鍵で暗号化された書き込み情報の書き込みを行うことを特徴とする。
【００２７】
これにより、例えば、２つの無線タグ回路素子のＩＣ回路部にそれぞれの暗号化情報と相手方の暗号化情報に係る暗号鍵とを書き込み記憶させたり、すべての無線タグ回路素子のＩＣ回路部に暗号化された情報を記憶するとともにその暗号鍵を当該無線タグ回路素子とは異なる無線タグ回路素子のＩＣ回路部に記憶させたり等が可能となり、セキュリティーを向上することができる。
【００２８】
第１１発明は、上記第９又は第１０発明において、少なくとも前記所定の暗号鍵又は前記別の暗号鍵を生成可能な暗号鍵生成手段を有することを特徴とする。
【００２９】
暗号鍵生成手段で生成した暗号鍵を用いて、情報を暗号化することが可能となる。
【００３０】
第１２発明は、上記第１１発明において、前記暗号鍵生成手段で生成した暗号鍵を用いて、暗号化対象の書き込み情報を暗号化する暗号化手段を備えることを特徴とする。
【００３１】
暗号鍵生成手段で生成した暗号鍵を用いて暗号化手段で情報を暗号化することができる。
【００３２】
第１３発明は、上記第１２発明において、前記複数の無線タグ回路素子の前記ＩＣ回路部の記憶情報が互いに照合の対象であることを示す照合識別情報を生成する照合識別情報生成手段を有し、前記情報書き込み手段は、前記書き込み装置側アンテナを介し、対応する前記複数の無線タグ回路素子の前記ＩＣ回路部に、前記照合識別情報生成手段で生成した前記照合識別情報を共通に書き込むことを特徴とする。
【００３３】
これにより、照合対象となるタグの組やそれに記録された情報を照合識別情報を手がかりに容易に見つけ出すことが可能となる。
【００３４】
第１４発明は、上記第９乃至第１３発明のいずれか１つにおいて、前記書き込み情報を生成する書き込み情報生成手段を有することを特徴とする。
【００３５】
書き込み装置側アンテナを介し書き込み対象の無線タグ回路素子へアクセスし、書き込み情報生成手段で生成した情報を書き込むことができる。
【００３６】
第１５発明は、上記第１３又は第１４発明において、前記照合識別情報生成手段又は前記書き込み情報生成手段は、擬似乱数を用いた手法にてデータ生成を行う手段であることを特徴とする。
【００３７】
照合識別情報や書き込み情報を乱数を用いた手法で生成することにより、さらにセキュリティーを向上することができる。
【００３８】
上記目的を達成するために、上記第１６発明は、情報を記憶するＩＣ回路部とこのＩＣ回路部に接続されるタグ側アンテナとをそれぞれ備えた、第１無線タグ回路素子及び第２無線タグ回路素子を含む無線タグ回路素子群であって、前記第１無線タグ回路素子の前記ＩＣ回路部は、所定の暗号鍵で暗号化された情報と、前記所定の鍵とは別の暗号鍵とを記憶保持し、前記第２無線タグ回路素子の前記ＩＣ回路部は、前記別の暗号鍵で暗号化された情報と、前記所定の鍵とを記憶保持することを特徴とする。
【００３９】
これにより、第１無線タグ回路素子のＩＣ回路部に読み取りを行うことで所定の暗号鍵で暗号化された情報及び別の暗号鍵を取得でき、第２無線タグ回路素子のＩＣ回路部に読み取りを行うことで別の暗号鍵で暗号化された情報及び所定の暗号鍵を取得できるので、これらを合わせて、暗号化された情報と暗号鍵とが２組とも揃い、復号化手段においてそれぞれの復号化を行うことができる。したがって、例えばこれら２組の復号化後の情報を照合して、その照合判定結果に応じ対応する作動部材、作動機器等が動作可能となるようにすることで、当該部材・機器の動作セキュリティーを向上することができる。
【発明の効果】
【００４０】
本発明によれば、無線タグ回路素子に記憶した情報のセキュリティーを向上することができる。
【発明を実施するための最良の形態】
【００４１】
以下、本発明の一実施の形態を図面を参照しつつ説明する。本実施形態では、自動車の起動システムに本発明を適用した場合の実施形態であり、正当な免許証と正当なエンジンキーとがそろった場合にのみ、当該自動車のエンジンが起動するようなセキュリティーを確保するためのものである。
【００４２】
図１は、上記自動車の起動システム全体を表す概念的なシステム構成図である。
【００４３】
図１に示す自動車起動システムは、上記免許証ＬＣに例えば第１無線タグラベルＴ１が添付されるとともに、上記エンジンキーＥＫの例えばキーホルダーに第２無線タグラベルＴ２が取り付けられている。そして、自動車ＣＡのエンジンを起動させるスタータモータ（図示せず）へ起動信号を出力する起動制御装置に備えられた本発明の無線タグ情報読み取り装置としてのスキャナ部（リーダ部）２００が、それら第１及び第２無線タグラベルＴ１，Ｔ２にそれぞれ備えられた無線タグ回路素子Ｔo（第１及び第２無線タグ回路素子）にアクセスする（この例では記憶された所定の情報を読み取る）とともにそれらの情報の照合を行う。
【００４４】
図２は、上記無線タグラベルＴ１，Ｔ２の全体概略構造の一例を表す図であり、図２（ａ）及び（ｂ）がそれぞれ無線タグラベルＴ１の上面図及び下面図、図２（ｃ）及び（ｄ）がそれぞれ無線タグラベルＴ２の上面図及び下面図である。これら図２（ａ）〜（ｄ）において、各無線タグラベルＴ１，Ｔ２は、例えば略シート形状の基材２（ラベル基材）と、この基材２に配置された、情報を記憶するＩＣ回路部１５０とこのＩＣ回路部１５０に接続されるアンテナ１５１とを備えた無線タグ回路素子Ｔoとを備えている。
【００４５】
図２（ａ）に示すように、無線タグラベルＴ１の基材２の表側（上面）には、対応する免許証に関わる印字情報（この例では「免許証」及び番号「ABC-123456」）を表記した領域Ｓを備えている。同様に、図２（ｃ）に示すように、無線タグラベルＴ２の基材２の表側（上面）には、対応するエンジンキーに関わる印字情報（この例では「キー」及び番号「ABC-123456」）を表記した領域Ｓを備えている。なお、これら領域Ｓは、文字でなく図形や符号、あるいは単なる色塗りや模様等であってもよい。
【００４６】
無線タグ回路素子Ｔoは、この例では、基材２の面方向中心部（この例では図１の上下方向中心部）に配置されている。
【００４７】
図３は、上記無線タグラベルＴ１，Ｔ２に備えられた上記無線タグ回路素子Ｔoの機能的構成の一例を表すブロック図である。
【００４８】
図３において、無線タグ回路素子Ｔoは、後述する起動制御装置１００のスキャナ部２００側のアンテナ２１０（読み取り装置側アンテナ）と短波帯(例えば13.56MHz)、ＵＨＦ帯、マイクロ波帯等の高周波を用いて非接触で信号の送受信を行う上記アンテナ１５１(タグ側アンテナ)と、このアンテナ１５１に接続された上記ＩＣ回路部１５０とを有している。
【００４９】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５０】
変復調部１５６は、アンテナ１５１により受信された上記スキャナ部２００（質問器）のアンテナ２１０からの通信信号の復調を行うと共に、上記制御部１５７からの返信信号に基づき、上記アンテナ２１０より受信された搬送波を変調反射する。
【００５１】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５２】
図４（ａ）は、上記無線タグラベルＴ１に備えられた上記無線タグ回路素子Ｔoの上記メモリ部１５５に記憶されたデータ内容を概念的に表す図であり、図４（ｂ）は、上記無線タグラベルＴ２に備えられた上記無線タグ回路素子Ｔoの上記メモリ部１５５に記憶されたデータ内容を概念的に表す図である。
【００５３】
図４（ａ）において、無線タグラベルＴ１の無線タグ回路素子Ｔoは、タグ識別情報としてのタグＩＤ（この例では「ＩＤ１」）と、照合識別情報（詳細は後述、この例では「ABC-123456」）と、無線タグラベルＴ２の無線タグ回路素子Ｔoの記憶情報を暗号化する際に用いた暗号鍵Ａと、無線タグラベルＴ２の無線タグ回路素子Ｔoに記憶された暗号鍵Ｂにより暗号化された情報（暗号化データＢ）とを、メモリ部１５５に記憶保持している。
【００５４】
図４（ｂ）において、無線タグラベルＴ２の無線タグ回路素子Ｔoは、タグ識別情報としてのタグＩＤ（この例では「ＩＤ２」）と、上記照合識別情報（この例では「ABC-123456」）と、無線タグラベルＴ１の無線タグ回路素子Ｔoの記憶情報（＝暗号化データＢ）を暗号化する際に用いた暗号鍵Ｂと、無線タグラベルＴ１の無線タグ回路素子Ｔoに記憶された上記暗号鍵Ａにより暗号化された情報（暗号化データＡ）とを、メモリ部１５５に記憶保持している。
【００５５】
図５は、上記起動制御装置１００の詳細機能を表す機能ブロック図である。この図５において、起動制御装置１００は、前述のエンジンキーＥＫが差し込まれたキースイッチの操作信号（ＯＮ信号又はＯＦＦ信号）を入力するキースイッチ信号入力部と、上記自動車ＣＡに備えられた公知のスタータモータ（図示せず）への起動信号を生成して出力する起動信号生成部１０３と、前述した読み取り機能を果たすスキャナ部２００と、それらキースイッチ信号入力部１０１、起動信号生成部１０３、及びスキャナ部２００に接続され起動制御装置１００全体の動作制御を行う中央制御部１０４とを有する。
【００５６】
中央制御部１０４は、例えば、図示しないＣＰＵ、ＲＡＭ、ＲＯＭ等を備えており、キースイッチ信号入力部１０１、スキャナ部２００からの信号を入力して所定の演算処理を行い、起動信号生成部１０３への制御信号等を出力する。
【００５７】
スキャナ部２００は、無線タグ回路素子Ｔoの上記アンテナ１５１との間で無線通信により信号の授受を行うアンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、スキャナ部２００全体の動作を制御する制御回路２０２とを有する。
【００５８】
図６は、上記高周波回路２０１の詳細機能構成を表す機能ブロック図である。
【００５９】
図６において、高周波回路２０１は、アンテナ２１０を介し無線タグ回路素子Ｔoに対して信号を送信する送信部２１２と、アンテナ２１０により受信された無線タグ回路素子Ｔoからの反射波を入力する受信部２１３と、送受分離器２１４とから構成される。
【００６０】
送信部２１２は、無線タグ回路素子ＴoのＩＣ回路部１５０の無線タグ情報（図４（ａ）及び図４（ｂ）参照）にアクセスする(読み取り／書き込みを行う)ための搬送波を発生させる搬送波発生部として機能する発振回路２１５と、上記制御回路２０２から供給される信号に基づいて上記搬送波発生部により発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する増幅率可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ２１０に伝達されて無線タグ回路素子ＴoのＩＣ回路部１５０に供給される。なお、送受される無線タグ情報は上記のように変調した信号に限られず、単なる搬送波のみの場合もある。
【００６１】
受信部２１３は、アンテナ２１０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００６２】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このように、スキャナ部２００では、この例ではＩ−Ｑ直交復調によって無線タグ回路素子Ｔoからの反射波の復調が行われる。
【００６３】
制御回路２０２は、上記高周波回路送信部２１２への増幅制御信号及び変調制御信号を出力するとともに、上記高周波回路受信部２１３からの受信信号を入力した後無線タグ回路素子Ｔoから読み出された信号を処理するための所定の演算処理を行う。
【００６４】
図７は、この制御回路２０２の詳細機能を表す機能ブロック図である。
【００６５】
図７において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ、上記中央制御部１０４との信号送受を行う入出力制御部２０２Ｅ等から構成され、ＲＡＭ２０２Ｃの一時記憶機能を利用しつつＲＯＭ２０２Ｂに予め記憶されたプログラムに従って信号処理を行うようになっている。
【００６６】
図８は、上記起動制御装置１００に備えられた中央制御部１０４及び制御回路２０２の実行する制御手順を表すフローチャートである。
【００６７】
まずステップＳ５０５において、高周波回路２０１及びアンテナ２１０を介し、無線タグラベルＴ１，Ｔ２の無線タグ回路素子ＴoのＩＣ回路部１５０に記憶された情報を読み取るための信号を送信する。詳細には、例えば、無線タグ回路素子Ｔoに記憶された情報を読み出すための「全記憶内容読み出しコマンド」信号（「無線タグＩＤ識別コマンド」信号で各無線タグ回路素子のIDを取得し、各無線タグ回路素子のIDを指定して全記憶内容読出しコマンドを生成）を生成して高周波回路２０１を介して通信範囲内に存在する無線タグ回路素子Ｔo（この例ではタグラベルＴ１に係る無線タグ回路素子ＴoとタグラベルＴ２に係る無線タグ回路素子Ｔoとの２つ）に送信され、返信を促す。
【００６８】
その後、ステップＳ５１０に移り、上記「全記憶内容読み出しコマンド」信号等に対応し無線タグ回路素子Ｔoから送信（返信）されたリプライ信号がアンテナ２１０を介し受信され、高周波回路２０１を介し制御回路２０２へ取り込まれたかどうかを判定する。
【００６９】
リプライ信号が受信されていなければ判定が満たされず、ステップＳ５０５に戻って同様の手順を繰り返す。リプライ信号が受信されたらステップＳ５１０の判定が満たされ、ステップＳ５１５へ移る。
【００７０】
ステップＳ５１５では、上記無線タグ回路素子Ｔoから受信されたリプライ信号の中から、対応する情報（無線タグラベルＴ１，Ｔ２と関連づけられる情報）を取得する。これにより、図４（ａ）の例では無線タグラベルＴ１の無線タグ回路素子ＴoからタグＩＤ「ＩＤ１」、照合識別情報「ABC-123456」、暗号鍵Ａ、暗号化データＢの各情報が取得され、図４（ｂ）の例では無線タグラベルＴ２の無線タグ回路素子ＴoからタグＩＤ「ＩＤ２」、照合識別情報「ABC-123456」、暗号鍵Ｂ、暗号化データＡの各情報が取得される。
【００７１】
次に、ステップＳ５２０において、ステップＳ５１５で２つの無線タグ回路素子Ｔoから取得した上記照合識別情報が一致しているかどうか（又は、組となることが分かる所定の関係となっているかどうか）を判定する。一致しない場合には判定が満たされず、このフローを終了する。なお、直ちにフローを終了するのではなく、必ず２つの無線タグ回路素子Ｔｏが用いられるときには、特に照合識別情報で、組となる無線タグ回路素子Ｔｏを選択する必要がないので、照合識別情報がなくてもステップＳ５１０でリプライ信号を受信した無線タグ回路素子Ｔoが２つであるかどうかを判定し、２つであれば一方の暗号鍵で他方の暗号化データを複合化する一方、２つ以外（＝３つ以上）であればフローを終了するようにしてもよい。
【００７２】
２つの無線タグ回路素子Ｔoから取得した上記照合識別情報が一致している場合には、ステップＳ５２０の判定が満たされ、ステップＳ５３０に移る。ステップＳ５３０では、ステップＳ５１５で情報を取得した２つの無線タグ回路素子Ｔoのうち一方（例えば無線タグラベルＴ１の無線タグ回路素子Ｔo）をタグ１、もう一方（例えば無線タグラベルＴ２の無線タグ回路素子Ｔo）をタグ２として選択指定する。なお、上記照合識別情報の一致した無線タグ回路素子Ｔoが３つ以上検出された場合には、ただちにこのフローを終了するようにしてもよいし、一致する各組ごとに以下の手順（ステップＳ５３５〜ステップＳ５５０）の処理を行うようにしてもよい。
【００７３】
その後、ステップＳ５３５において、上記ステップＳ５３０の指定に対応して、タグ２側（無線タグラベルＴ２の無線タグ回路素子Ｔo）に記憶された暗号鍵Ｂ（ステップＳ５１５で取得済み、以下同様）を用いて、タグ１側（無線タグラベルＴ１の無線タグ回路素子Ｔo）に記憶された暗号化データＢを復号化し、照合用のデータ（照合データ１）を生成する。
【００７４】
そして、ステップＳ５４０において、上記ステップＳ５３０の指定に対応して、タグ１側（無線タグラベルＴ１の無線タグ回路素子Ｔo）に記憶された暗号鍵Ａを用いて、タグ２側（無線タグラベルＴ２の無線タグ回路素子Ｔo）に記憶された暗号化データＡを復号化し、照合用のデータ（照合データ２）を生成する。
【００７５】
その後、ステップＳ５４５において、上記ステップＳ５３５で生成した照合データ１と、上記ステップＳ５４０で生成した照合データ２との照合を行い、両者が予め定められた所定の関係となっているかどうかを判定する。この所定の関係は例えば両者の（実質的）一致、連番、補数関係等でもよいし、相互に演算（加算、減算、割り算等）を行った結果が所定値となることでもよいし、あるいは例えばＲＯＭ２０２Ｂ内に格納保持されたテーブルにおいて適正として規定された組み合わせであることでもよい。所定の関係となっていなければ判定が満たされず直ちにこのフローを終了し、所定の関係となっていれば判定が満たされ、ステップＳ５５０へ移る。
【００７６】
ステップＳ５５０では、照合が適正だった場合に行われるべき所定の処理を行い（この例では起動制御装置１００の起動信号生成部１０３に制御信号を出力し、起動信号を生成させて自動車ＣＡのスタータモータを起動させる）を行い、このフローを終了する。
【００７７】
上記のように構成され使用される無線タグラベルＴ１，Ｔ２であるが、これら無線タグラベルＴ１，Ｔ２を製造する無線タグ製造装置３００としては、例えば図９に示す装置が用いられる。
【００７８】
図９において、このタグラベル作成装置３００（無線タグ情報書き込み装置）は、所定間隔で無線タグ回路素子Ｔoが備えられたタグテープ３０３を巻回したタグテープロール３０４と、このタグテープロール３０４から繰り出されたタグテープ３０３のうち各無線タグ回路素子Ｔoに対応した上記領域Ｓに所定の印字を行う印字ヘッド３０５と、無線タグ回路素子Ｔoとの間で無線通信により情報の送受信を行うアンテナ３０６（書き込み装置側アンテナ）と、高周波回路３０１及び制御回路３０２と、タグテープ３０３への印字及び無線タグ回路素子Ｔoへの上記情報書き込みが終了したタグテープ３０３を所定の長さに切断して上記無線タグラベルＴ１，Ｔ２とするカッタ３０７とを有する。
【００７９】
高周波回路３０１及び制御回路３０２は、詳細な説明を省略するが、上記スキャナ部２００の高周波回路２０１及び制御回路２０２とほぼ同等の機能を備えるものであり、無線タグ回路素子ＴoのＩＣ回路部１５０へのアクセス情報（前述したような暗号鍵、暗号化データ、さらには照合識別情報等を含む）を生成し、装置側アンテナ３０６を介して無線タグ回路素子Ｔoへ送信し、無線タグ回路素子ＴoのＩＣ回路部１５０へ情報書き込みを行う。また制御回路２０２は有線又は無線の通信回線（ネットワーク）を介して他のコンピュータ、サーバ、端末等と接続されており、それらと情報の送受が可能となっている。
【００８０】
図１０は、前述のように、互いに組となって照合されるべき２つの無線タグ回路素子を備えた無線タグラベルＴ１，Ｔ２を作成するときに上記制御回路３０２によって実行される制御手順を表すフローチャートである。
【００８１】
図１０において、まずステップＳ７０５で、無線タグラベルＴ２の無線タグ回路素子Ｔoへの記憶データを暗号化するための暗号鍵Ａを生成し、その後ステップＳ７１０で無線タグラベルＴ１の無線タグ回路素子Ｔoへの記憶データを暗号化するための暗号鍵Ｂを生成する。このときの暗号鍵Ａ，Ｂは例えば乱数（擬似乱数）を用いて発生させてもよいし、複数の暗号鍵候補を用意しておいてそこからランダムに選択するようにしてもよい。
【００８２】
その後、ステップＳ７１５において、上記照合識別情報を装置３００の外部より入力するかどうかが判定される。外部入力を行う旨が例えばタグラベル作成装置３００の図示しない操作部より指示された場合には判定が満たされ、ステップＳ７２０に移る。ステップＳ７２０では、例えば上記通信回線を介し制御回路３０２に接続された操作端末等により別途入力された照合識別情報が上記通信回線を介し取得される（入力処理）。なお、無線タグ回路素子Ｔoに必ずしも照合識別情報は記憶させなくてもよく、その場合にはステップＳ７１５、ステップＳ７２０、ステップＳ７２５は省略される。
【００８３】
上記のような外部入力を行わない場合には上記ステップＳ７１５の判定が満たされず、ステップＳ７２５に移り、照合識別情報の生成（自動生成）を行う。このときの照合識別情報は例えば乱数（擬似乱数）を用いて発生させればよい。あるいは、複数の候補を用意しておいてそこからランダムに選択するようにしたり、上記通信回線を介し起動制御装置１００のスキャナ部２００に接続されている場合には、予めスキャナ部２００側から指定された情報を照合識別情報とするようにしてもよい。
【００８４】
上記ステップＳ７２０やステップＳ７２５が終了すると、ステップＳ７３０に移る。ステップＳ７３０では、本来無線タグラベルＴ１，Ｔ２それぞれに記憶させて照合したい照合データを装置３００の外部より入力するかどうかが判定される。外部入力を行う旨が例えば上記操作部より指示された場合には判定が満たされ、ステップＳ７３５に移る。ステップＳ７３５では、例えば上記通信回線を介し制御回路３０２に接続された操作端末等により別途入力されたタグ１用照合デ−タ（無線タグラベルＴ１に係る無線タグ回路素子Ｔoに記憶させたい情報）が上記通信回線を介し取得される（入力処理）。その後、ステップＳ７４０に移り、例えば上記操作端末等により別途入力されたタグ２用照合デ−タ（無線タグラベルＴ２に係る無線タグ回路素子Ｔoに記憶させたい情報）が上記通信回線を介し取得される（入力処理）。
【００８５】
上記のような外部入力を行わない場合には上記ステップＳ７３０の判定が満たされず、ステップＳ７４５に移り、照合データの生成（自動生成）を行う。あるいは、予めリーダから指定された情報を照合データとする。このときの照合データは例えば乱数（擬似乱数）を用いて発生させてもよいし、複数の候補を用意しておいてそこからランダムに選択するようにしてもよい。
【００８６】
上記ステップＳ７４０やステップＳ７４５が終了すると、ステップＳ７５０に移る。ステップＳ７５０では、ステップＳ７４０で入力したタグ２用照合データ（又はステップＳ７４５で生成した照合データ）を、ステップＳ７０５で生成した暗号鍵Ａを用いて暗号化し、暗号化データＡを生成する。その後、ステップＳ７５５に移り、上記同様、ステップＳ７３５で入力したタグ１用照合データ（又はステップＳ７４５で生成した照合データ）を、ステップＳ７１０で生成した暗号鍵Ｂを用いて暗号化し、暗号化データＢを生成する。
【００８７】
そして、ステップＳ７６０に移り、上記ステップＳ７０５で生成した暗号鍵Ａと、上記ステップＳ７５５で生成した暗号化データＢと、ステップＳ７２０で外部より入力した（又はステップＳ７２５で生成した）照合識別情報と、新たに指定したタグ識別情報（タグＩＤ、上述の例では「ＩＤ１」）とを用いて、無線タグラベルＴ１の無線タグ回路素子Ｔoに記憶させるためのデータ（タグ１データ）を生成する。またステップＳ７６５に移り、上記ステップＳ７１０で生成した暗号鍵Ｂと、上記ステップＳ７５０で生成した暗号化データＡと、ステップＳ７２０で外部より入力した（又はステップＳ７２５で生成した）照合識別情報と、新たに指定したタグ識別情報（タグＩＤ、上述の例では「ＩＤ２」）とを用いて、無線タグラベルＴ２の無線タグ回路素子Ｔoに記憶させるためのデータ（タグ２データ）を生成する。なお、上記タグＩＤは新たに設定しても良いし、既に予め無線タグ回路素子に付与されているＩＤを書き換えることなくそのまま用いても良い。
【００８８】
その後、ステップＳ７７０に移り、操作端末等により別途入力された、印字ヘッド３０５で上記無線タグラベルＴ１，Ｔ２の領域Ｓに印字したい印字情報が上記通信回線を介し取得される。
【００８９】
そして、ステップＳ７８０において、印字ヘッド３０５を駆動する駆動回路（図示せず）に制御信号を出力して、上記ステップＳ７７０で入力した印字データのうち、無線タグラベルＴ１に対応する印字を領域Ｓに対して行うとともに、無線タグラベルＴ１の無線タグ回路素子Ｔoに対し情報（上記タグ１データ、すなわちタグＩＤ「ＩＤ１」＋照合識別情報「ABC-123456」＋暗号鍵Ａ＋暗号化データＢ）の書き込みを行う。すなわち、高周波回路３０１を介し無線タグラベルＴ１の無線タグ回路素子ＴoのＩＣ回路部１５０へのアクセス情報を生成し、装置側アンテナ３０６を介して当該無線タグ回路素子Ｔoへ送信し、ＩＣ回路部１５０に対し、情報書き込みを行う。このとき、図示しないテープ搬送駆動手段によるテープ送り及び書き込み後のカッタ３０７による切断も併せて行われる。この結果、例えば図４（ａ）に例示したようなデータ構造の情報が当該無線タグ回路素子ＴoのＩＣ回路部１５０のメモリ部１５５に記憶保持される。
【００９０】
また、次のステップＳ７９０において、印字ヘッド３０５を駆動する駆動回路（図示せず）に制御信号を出力して、上記ステップＳ７７０で入力した印字データのうち、無線タグラベルＴ２に対応する印字を領域Ｓに対して行う。同様に、無線タグラベルＴ２の無線タグ回路素子Ｔoに対し情報（上記タグ２データ、すなわちタグＩＤ「ＩＤ２」＋照合識別情報「ABC-123456」＋暗号鍵Ｂ＋暗号化データＡ）の書き込みを行う。すなわち、高周波回路３０１を介し無線タグラベルＴ２の無線タグ回路素子ＴoのＩＣ回路部１５０へのアクセス情報を生成し、装置側アンテナ３０６を介して当該無線タグ回路素子Ｔoへ送信し、ＩＣ回路部１５０に対し、情報書き込みを行う（上記同様、テープ送り及び切断も併せて行われる）。この結果、例えば図４（ｂ）に例示したようなデータ構造の情報が当該無線タグ回路素子ＴoのＩＣ回路部１５０のメモリ部１５５に記憶保持される。
【００９１】
以上のような手順で、テープ送りしながらの印字及び情報書き込み、その後切断が終了した無線タグラベルＴ１，Ｔ２は装置３００外へと排出され、このフローを終了する。なお、印字を行わない場合には、テープ送りしながらの情報書き込みを行い、その後切断して（印字なしの）無線タグラベルＴ１，Ｔ２を生成する。
【００９２】
上記において、起動制御装置１００に備えられた中央制御部１０４及び制御回路２０２の実行する図８に示したフローのステップＳ５０５、ステップＳ５１０、及びステップＳ５１５が、各請求項記載の、第１無線タグ回路素子へのアクセス情報を生成し、読み取り装置側アンテナを介して当該第１無線タグ回路素子へ送信し、そのＩＣ回路部に記憶された暗号化された情報の読み取りを行う第１アクセス手段と、第２無線タグ回路素子へのアクセス情報を生成し、読み取り装置側アンテナを介して当該第２無線タグ回路素子へ送信し、そのＩＣ回路部に記憶された所定の暗号鍵の読み取りを行う第２アクセス手段とを構成する。そして、全体として、読み取り装置側アンテナを介し、複数の無線タグ回路素子のうち第１無線タグ回路素子及びこれとは異なる第２無線タグ回路素子へそれぞれアクセスし、第１無線タグ回路素子のＩＣ回路部から所定の暗号鍵で暗号化された情報の読み取りを行うとともに、第２無線タグ回路素子のＩＣ回路部から所定の暗号鍵の読み取りを行う情報読み取り手段を構成する。
【００９３】
また、ステップＳ５３０が、照合識別情報に基づき、照合対象となる複数の無線タグ回路素子を特定する照合タグ特定手段を構成し、ステップＳ５３５又はステップＳ５４０が、情報読み取り手段で取得された所定の暗号鍵を用いて暗号化された情報を復号化し、当該復号化後の情報を取得する復号化手段を構成し、ステップＳ５４５が、復号化手段で取得した、複数の復号化後の情報どうしが、互いに予め定められた所定の関係を満たすかどうか照合判定を行う照合手段を構成する。
【００９４】
また、タグラベル作成装置３００の制御回路３０２の実行する図１０に示した制御手順のうち、ステップＳ７８０又はステップＳ７９０が、書き込み装置側アンテナを介し、複数の無線タグ回路素子のうち第１無線タグ回路素子及びこれとは異なる第２無線タグ回路素子へそれぞれアクセスし、第１無線タグ回路素子のＩＣ回路部に所定の暗号鍵で暗号化された書き込み情報の書き込みを行うとともに、第２無線タグ回路素子のＩＣ回路部に所定の暗号鍵の書き込みを行う情報書き込み手段をも構成する。
【００９５】
また、ステップＳ７０５及びステップＳ７１０が、少なくとも所定の暗号鍵又は別の暗号鍵を生成可能な暗号鍵生成手段を構成し、ステップＳ７５０及びステップＳ７５５が、暗号鍵生成手段で生成した暗号鍵を用いて、暗号化対象の書き込み情報を暗号化する暗号化手段を構成する。また、ステップＳ７２５が、複数の無線タグ回路素子のＩＣ回路部の記憶情報が互いに照合の対象であることを示す照合識別情報を生成する照合識別情報生成手段を構成し、ステップＳ７４５が、書き込み情報を生成する書き込み情報生成手段を構成する。
【００９６】
さらに、無線タグラベルＴ１の無線タグ回路素子Ｔoが第１無線タグ回路素子を構成し、無線タグラベルＴ２の無線タグ回路素子Ｔoが第２無線タグ回路素子を構成し、これら２つの無線タグ回路素子Ｔoが無線タグ回路素子群を構成する。
【００９７】
以上のように構成した本実施形態においては、無線タグラベルＴ１（又は無線タグラベルＴ２、以下、かっこ内対応関係同じ）に係る無線タグ回路素子ＴoのＩＣ回路部１５０には読み取り情報を暗号化した情報である暗号化データＢ（又は暗号化データＡ）が記憶保持され、この暗号化の際のいわゆる共通鍵である暗号鍵Ｂ（又は暗号鍵Ａ）は別の無線タグラベルＴ２（又は無線タグラベルＴ１）の無線タグ回路素子ＴoのＩＣ回路部１５０に記憶保持されている。そして、起動制御装置１００のスキャナ部２００において、それら２つの無線タグ回路素子Ｔoから暗号化された暗号化データＢ（又は暗号化データＡ）と暗号鍵Ｂ（又は暗号鍵Ａ）とを読み取り、当該暗号鍵Ｂ（又は暗号鍵Ａ）を用いて暗号化データＢ（又は暗号化データＡ）を復号化することにより、復号化後の本来読み取りたい情報を取得する。
【００９８】
このように、暗号化データと、その暗号化時の鍵を、別々の無線タグ回路素子Ｔoに記憶保持させて読み取る構成とすることにより、無線タグラベルＴ１（又は無線タグラベルＴ２）を第三者が拾得してもその無線タグ回路素子Ｔoは暗号化データＢ（又は暗号化データＡ）のみを記憶保持しており、その暗号鍵Ｂ（又は暗号鍵Ａ）は別の無線タグラベルＴ２（又は無線タグラベルＴ１）の無線タグ回路素子Ｔoに記憶保持されているためこれを復号化して情報を得ることはできない。この結果、無線タグラベルＴ１，Ｔ２に係る２つの無線タグ回路素子Ｔoを同一の第三者に拾得されないかぎり、情報が盗まれることはないので、情報盗難に対するセキュリティーを向上することができる。
【００９９】
また、このように暗号鍵と暗号データとを複数の無線タグ回路素子Ｔoで持ち合う構成とすることで、スキャナ部２００は暗号鍵に関する情報を保持する必要がなくなる。この結果、仮に第三者が（無線タグ情報読み取り装置である）スキャナ部２００に外部からアクセスしたとしても、暗号鍵や暗号化データを取得することはできないので、この意味でも高いセキュリティを維持できる。またスキャナ部２００は暗号鍵に関する情報を保持する必要がないため、暗号鍵は（例えば後述の無線タグ製造装置３００によって）随時変更することができ、これによっても安全性が高くなる。
【０１００】
そして、この実施形態では特に、上記無線タグラベルＴ１，Ｔ２に係る２つの無線タグ回路素子Ｔoから読み取って復号化したデータの照合判定結果に応じて対応する作動部材、作動機器（この例では自動車ＣＡのエンジンのスタータモータ）等を動作可能とすることで、当該スタータモータの動作セキュリティーを向上することができる。
【０１０１】
また、この実施形態では特に、各無線タグ回路素子Ｔoが、互いに照合の対象であることを示す照合識別情報を備えていることにより、スキャナ部２００において照合判定を行うにあたり、上記照合識別情報を手がかりに照合対象であることを容易に認識することが可能となる。特に、図８に示すフローのステップＳ５０５の読み取り信号送信後にステップＳ５１０において３つ以上の無線タグ回路素子Ｔoから返答を受信した場合に、その中で照合すべき組（対）となる２つの無線タグ回路素子Ｔoを見つけ出すのに有効である。
【０１０２】
また、本実施形態の無線タグ情報書き込み装置である無線タグ製造装置３００では、無線タグラベルＴ１（又は無線タグラベルＴ２、以下、かっこ内対応関係関係同じ）に係る無線タグ回路素子ＴoのＩＣ回路部１５０に書き込み情報を暗号化した情報である暗号化データＢ（又は暗号化データＡ）を書き込んで記憶保持し、この暗号化の際のいわゆる共通鍵である暗号鍵Ｂ（又は暗号鍵Ａ）は別の無線タグラベルＴ２（又は無線タグラベルＴ１）の無線タグ回路素子ＴoのＩＣ回路部１５０に書き込んで記憶保持する。
【０１０３】
このように、暗号化データと、その暗号化時の鍵を、別々の無線タグ回路素子Ｔoに記憶保持させる構成とすることにより、無線タグラベルＴ１（又は無線タグラベルＴ２）を第三者が拾得してもその無線タグ回路素子Ｔoは暗号化データＢ（又は暗号化データＡ）のみを記憶保持しており、その暗号鍵Ｂ（又は暗号鍵Ａ）は別の無線タグラベルＴ２（又は無線タグラベルＴ１）の無線タグ回路素子Ｔoに記憶保持されているためこれを復号化して情報を得ることはできない。この結果、無線タグラベルＴ１，Ｔ２に係る２つの無線タグ回路素子Ｔoを同一の第三者に拾得されないかぎり、情報が盗まれることはないので、情報盗難に対するセキュリティーを向上することができる。
【０１０４】
また、この実施形態では特に、無線タグ製造装置３００は、照合対象の組（対）となる無線タグ回路素子Ｔo，Ｔoに、互いに照合の対象であることを示す照合識別情報を書き込むことにより、前述のようにスキャナ部２００において照合判定を行うにあたり、その照合識別情報を手がかりに照合対象であることを容易に認識することが可能となる。特に、上記図８に示すフローのステップＳ５０５の読み取り信号送信後にステップＳ５１０において３つ以上の無線タグ回路素子Ｔoから返答を受信した場合に、その中で照合すべき組（対）となる２つの無線タグ回路素子Ｔoを見つけ出すのに有効である。
【０１０５】
また、この実施形態では特に、上記照合識別情報の生成時（図１０のフローに示すステップＳ７２５参照）、又は書き込み情報である照合データの生成時（図１０のフローに示すステップＳ７４５参照）において、擬似乱数を用いた手法にてデータ生成を行うことにより、さらにセキュリティーを向上することができる。
【０１０６】
なお、本発明は、上記実施形態に限られず、その趣旨と技術思想の範囲を逸脱しない範囲で更に種々の変形が可能である。以下その変形例を説明する。
【０１０７】
（１）３つ以上の無線タグ回路素子Ｔoで暗号鍵と暗号化データとを持ち合う場合
上記実施形態においては、無線タグラベルＴ１，Ｔ２の２つの無線タグ回路素子Ｔo，Ｔoで暗号鍵と暗号化データを持ち合った（一方の無線タグ回路素子Ｔo，に暗号鍵Ｂと暗号化データＡ、他方の無線タグ回路素子Ｔoに暗号鍵Ａと暗号化データＢ）が、これに限られず、３つ以上の無線タグラベルにおいて、同様に暗号化データとこれに対応する暗号鍵とを各無線タグ回路素子Ｔoに分散して記憶するようにしてもよい。
【０１０８】
図１１（ａ）〜（ｃ）は、このような３つの無線タグラベルＴ１，Ｔ２，Ｔ３を備えた変形例における各ラベルＴ１，Ｔ２，Ｔ３の無線タグ回路素子Ｔoの上記メモリ部１５５に記憶されたデータ内容を概念的に表す図であり、上記実施形態の図４に相当する図である。
【０１０９】
図１１（ａ）は上記無線タグラベルＴ１に備えられた無線タグ回路素子Ｔo、図１１（ｂ）は上記無線タグラベルＴ２に備えられた無線タグ回路素子Ｔo、図１１（ｃ）は上記無線タグラベルＴ３に備えられた無線タグ回路素子Ｔoのデータ内容を概念的に表している。
【０１１０】
図１１（ａ）において、無線タグラベルＴ１の無線タグ回路素子Ｔoは、タグ識別情報としてのタグＩＤ（この例では「ＩＤ１」）と、照合識別情報（詳細は後述、この例では「ABC-123456」）と、無線タグラベルＴ２の無線タグ回路素子Ｔoの記憶情報を暗号化する際に用いた暗号鍵Ａと、無線タグラベルＴ３の無線タグ回路素子Ｔoに記憶された暗号鍵Ｃにより暗号化された情報（暗号化データＣ）とを、メモリ部１５５に記憶保持している。
【０１１１】
図１１（ｂ）において、無線タグラベルＴ２の無線タグ回路素子Ｔoは、タグ識別情報としてのタグＩＤ（この例では「ＩＤ２」）と、上記照合識別情報（この例では「ABC-123456」）と、無線タグラベルＴ３の無線タグ回路素子Ｔoの記憶情報（＝暗号化データＢ）を暗号化する際に用いた暗号鍵Ｂと、無線タグラベルＴ１の無線タグ回路素子Ｔoに記憶された上記暗号鍵Ａにより暗号化された情報（暗号化データＡ）とを、メモリ部１５５に記憶保持している。
【０１１２】
図１１（ｃ）において、無線タグラベルＴ３の無線タグ回路素子Ｔoは、タグ識別情報としてのタグＩＤ（この例では「ＩＤ３」）と、上記照合識別情報（この例では「ABC-123456」）と、無線タグラベルＴ１の無線タグ回路素子Ｔoの記憶情報（＝暗号化データＣ）を暗号化する際に用いた暗号鍵Ｃと、無線タグラベルＴ２の無線タグ回路素子Ｔoに記憶された上記暗号鍵Ｂにより暗号化された情報（暗号化データＢ）とを、メモリ部１５５に記憶保持している。
【０１１３】
図１２は、この変形例による起動制御装置に備ええられた上記中央制御部１０４及び制御回路２０２の実行する制御手順を表すフローチャートであり、上記実施形態の図８に相当する図である。図８と同等の部分には同一の符号を付し、適宜説明を省略する。
【０１１４】
図１２において、ステップＳ５０５〜ステップＳ５２０は上記図８と同等の手順である。すなわち、ステップＳ５０５で高周波回路２０１及びアンテナ２１０を介し、無線タグラベルＴ１，Ｔ２，Ｔ３の無線タグ回路素子ＴoのＩＣ回路部１５０に記憶された情報を読み取るための信号を送信した後、ステップＳ５１０でそのリプライ信号がアンテナ２１０を介し受信され、高周波回路２０１を介し制御回路２０２へ取り込まれたかどうかを判定する。判定が満たされたらステップＳ５１５で、受信されたリプライ信号の中から、対応する情報（無線タグラベルＴ１，Ｔ２と関連づけられる情報）を取得する。
【０１１５】
これにより、図１１（ａ）の例では無線タグラベルＴ１の無線タグ回路素子ＴoからタグＩＤ「ＩＤ１」、照合識別情報「ABC-123456」、暗号鍵Ａ、暗号化データＣの各情報が取得され、図１１（ｂ）の例では無線タグラベルＴ２の無線タグ回路素子ＴoからタグＩＤ「ＩＤ２」、照合識別情報「ABC-123456」、暗号鍵Ｂ、暗号化データＡの各情報が取得され、図１１（ｃ）の例では無線タグラベルＴ３の無線タグ回路素子ＴoからタグＩＤ「ＩＤ３」、照合識別情報「ABC-123456」、暗号鍵Ｃ、暗号化データＢの各情報が取得される。なおこの手順が、各請求項記載の、第２無線タグ回路素子とは異なる第３無線タグ回路素子のＩＣ回路部に記憶された、別の暗号鍵の読み取りを行う第３アクセス手段を構成する。その後、ステップＳ５２０で、ステップＳ５１５で３つの無線タグ回路素子Ｔoから取得した上記照合識別情報が一致しているかどうか（又は、組となることが分かる所定の関係となっているかどうか）を判定し、判定が満たされたらステップＳ５３０に代えて設けたステップＳ５３０′に移る。
【０１１６】
ステップＳ５３０′では、ステップＳ５１５で情報を取得した３つの無線タグ回路素子Ｔoのそれぞれ、例えば無線タグラベルＴ１の無線タグ回路素子Ｔoをタグ１、無線タグラベルＴ２の無線タグ回路素子Ｔoをタグ２、無線タグラベルＴ２の無線タグ回路素子Ｔoをタグ３として選択指定する。なお、タグ１、タグ２、タグ３は例えば、取得したID１、ID２、ID３が小さい(あるいは大きい)ものからタグ１、タグ２、タグ３として選択指定すればよい。
【０１１７】
その後、ステップＳ５３５に代えて設けたステップＳ５３５′において、上記ステップＳ５３０′の指定に対応して、タグ３側（無線タグラベルＴ３の無線タグ回路素子Ｔo）に記憶された暗号鍵Ｃ（ステップＳ５１５で取得済み、以下同様）を用いて、タグ１側（無線タグラベルＴ１の無線タグ回路素子Ｔo）に記憶された暗号化データＣを復号化し、照合用のデータ（照合データ１）を生成する。
【０１１８】
その後、ステップＳ５４０に代えて設けたステップＳ５４０′において、上記ステップＳ５３０′の指定に対応して、タグ１側（無線タグラベルＴ１の無線タグ回路素子Ｔo）に記憶された暗号鍵Ａを用いて、タグ２側（無線タグラベルＴ２の無線タグ回路素子Ｔo）に記憶された暗号化データＡを復号化し、照合用のデータ（照合データ２）を生成する。
【０１１９】
その後、新たに設けたステップＳ５４２において、上記ステップＳ５３０′の指定に対応して、タグ２側（無線タグラベルＴ２の無線タグ回路素子Ｔo）に記憶された暗号鍵Ｂを用いて、タグ３側（無線タグラベルＴ３の無線タグ回路素子Ｔo）に記憶された暗号化データＢを復号化し、照合用のデータ（照合データ３）を生成する。
【０１２０】
以上のように構成した本変形例においては、すべての（この例では３つの）無線タグ回路素子ＴoのＩＣ回路部１５０に暗号化された情報を記憶するとともに、その暗号鍵を当該無線タグ回路素子Ｔoとは異なる無線タグ回路素子ＴoのＩＣ回路部１５０に記憶する。この結果、無線タグラベルＴ１，Ｔ２に係る２つの無線タグ回路素子Ｔoを同一の第三者に拾得されないかぎり暗号化データＡに係る情報が盗まれることはなく、同様に、無線タグラベルＴ２，Ｔ３に係る２つの無線タグ回路素子Ｔoを同一の第三者に拾得されないかぎり暗号化データＢに係る情報が盗まれることはなく、無線タグラベルＴ３，Ｔ１に係る２つの無線タグ回路素子Ｔoを同一の第三者に拾得されないかぎり暗号化データＣに係る情報が盗まれることはない。この結果、前述と同様、情報盗難に対するセキュリティーを向上することができる。
【０１２１】
なお、上記（１）の変形例では３つの無線タグラベルＴに係る無線タグ回路素子Ｔoに暗号化データと暗号鍵とを分担記憶した場合を例にとって説明したが、これに限られず、４つ以上の無線タグラベルＴに係る無線タグ回路素子Ｔoに暗号化データと暗号鍵とを分担記憶させるようにしてもよい。この場合も同様の効果を得る。
【０１２２】
（２）暗号鍵と暗号化データとの組み合わせを表す情報を付加する場合
図１３（ａ）〜（ｃ）は、図１１（ａ）〜（ｃ）の変形例において上記情報を付加した例をそれぞれ表しており、この例では、各無線タグラベルＴ１，Ｔ２，Ｔ３に関わる無線タグ回路素子Ｔoそれぞれのメモリ部１５５に記憶している暗号鍵と暗号化データとの組み合わせを表す情報が付加されている。すなわち、図１３（ａ）に示す無線タグラベルＴ１の無線タグ回路素子Ｔoのメモリ部１５５には、記憶している暗号鍵Ａと暗号化データＣとの組み合わせを表す情報（この例では「ＡＣ」）が併せて記憶されており、図１３（ｂ）に示す無線タグラベルＴ２の無線タグ回路素子Ｔoのメモリ部１５５には、記憶している暗号鍵Ｂと暗号化データＡとの組み合わせを表す情報（この例では「ＢＡ」）が併せて記憶されており、図１３（ｃ）に示す無線タグラベルＴ３の無線タグ回路素子Ｔoのメモリ部１５５には、記憶している暗号鍵Ｃと暗号化データＢとの組み合わせを表す情報（この例では「ＣＢ」）が併せて記憶されている。
【０１２３】
（３）その他
以上においては、２つ又は３つの無線タグ回路素子Ｔoの照合結果（実質一致等の所定の関係になるかどうか）のみに応じて、スタータモータのエンジン起動の可／不可を切り替えるようにしたが、これに限られない。すなわち、その照合結果が所定の関係になる（＝一致する、連番となる、補数関係となる等）かどうかだけでなく、そのときの値自体を予め制御回路２０２又は中央制御部１０４につ録しておき、その登録された値になったかどうかに応じてスタータモータのエンジン起動の可／不可を切り替えるようにしてもよい。さらに、その所定の関係になったときの値に応じて、許容する動作の程度を変化するようにしてもよい（セキュリティレベルを変える。起動制御装置１００の例で言えば、例えば、ａさん、ｂさん、ｃさんの各人が自己の免許証を併せて所持していれば上記所定の関係が満たされて自動車ＣＡのエンジンが起動するが、中央制御部１０４が自動車ＣＡのエンジン制御装置と接続されて連携制御することにより、ａさんが運転するとき（ａさんの免許証とエンジンキーとで上記所定の関係が満たされたとき）には自動車ＣＡの速度制限がなく、ｂさんが運転するとき（ｂさんの免許証とエンジンキーとで上記所定の関係が満たされたとき）には自動車ＣＡの速度制限が８０ｋｍ／ｈであり、ｃさんが運転するとき（ｃさんの免許証とエンジンキーとで上記所定の関係が満たされたとき）には自動車ＣＡの速度制限が６０ｋｍ／ｈとなる、といったような場合が考えられる。
【０１２４】
また、無線タグ回路素子Ｔo側に予め応答すべき無線タグ情報読取装置（スキャナ部２００等）の識別情報（リーダＩＤ）を記憶させておき、特定の無線タグ情報読取装置からの読み取り信号を受信した場合にのみ、応答するようにしても良い。
【０１２５】
また、以上においては、２つの無線タグラベルＴ１，Ｔ２に係る無線タグ回路素子Ｔo、又は、３つの無線タグラベルＴ１，Ｔ２，Ｔ３に係る無線タグ回路素子Ｔoで暗号化データと暗号鍵とを分担記憶した場合を例にとって説明したが、これに限られない。すなわち、「２つの無線タグ回路素子Ｔoを同一の第三者に拾得されないかぎり情報が盗まれず情報盗難に対するセキュリティーを向上できる」という本発明本来の効果を得る限りにおいては、例えば図４（ａ）及び（ｂ）に示した例において、無線タグラベルＴ１に暗号鍵Ａを記憶し（暗号化データＢは記憶せず）、無線タグラベルＴ２に暗号化データＡを記憶し（暗号鍵Ｂは記憶せず）、単に、それら無線タグ回路素子Ｔoから取得した暗号鍵Ａ及び暗号化データＡを用いて暗号化データＡを復号化したデータを取得するようにしてもよい（この場合は照合は行わない）。
【０１２６】
以上は、自動車ＣＡのスタータモータに適用した場合を例にとって説明したが、これに限られず、所定の動作を行う他の動作機器・動作部材（例えば金庫の開閉、データベースのアクセス）へ適用してもよい。
【０１２７】
さらに、上述した実施形態、（１）〜（３）の変形例における手法を適宜組み合わせてもよい。これらの場合も、それら組み合わせた実施形態又は変形例の効果を併せた効果を得ることができ、上記同様、操作者の利便性を大きく向上できるという本発明本来の効果を得ることができる。
【０１２８】
その他、一々例示はしないが、本発明は、その趣旨を逸脱しない範囲内において、種々の変更が加えられて実施されるものである。
【図面の簡単な説明】
【０１２９】
【図１】本発明の一実施形態の適用対象である自動車の起動システム全体を表す概念的なシステム構成図である。
【図２】無線タグラベルの全体概略構造の一例を表す上面図及び下面図である。
【図３】無線タグラベルに備えられた無線タグ回路素子の機能的構成の一例を表すブロック図である。
【図４】無線タグ回路素子のメモリ部に記憶されたデータ内容を概念的に表す図である。
【図５】起動制御装置の詳細機能を表す機能ブロック図である。
【図６】高周波回路の詳細機能構成を表す機能ブロック図である。
【図７】制御回路の詳細機能を表す機能ブロック図である。
【図８】起動制御装置に備えられた中央制御部及び制御回路の実行する制御手順を表すフローチャートである。
【図９】本発明の一実施形態によるタグラベル作成装置の全体概略構成を表す概念図である。
【図１０】制御回路によって実行される制御手順を表すフローチャートである。
【図１１】３つの無線タグラベルを備えた変形例における各ラベルの無線タグ回路素子のメモリ部に記憶されたデータ内容を概念的に表す図である。
【図１２】起動制御装置に備ええられた中央制御部及び制御回路の実行する制御手順を表すフローチャートである。
【図１３】暗号鍵と暗号化データとの組み合わせを表す情報を付加した変形例を表す図である。
【符号の説明】
【０１３０】
４              アンテナ（読み取り装置側アンテナ）
１００          起動制御装置
１０４          中央制御部
１５０          ＩＣ回路部
１５１          アンテナ（タグ側アンテナ）
２００          スキャナ部（無線タグ情報読取装置）
２０２          制御回路
３００          タグラベル作成装置（無線タグ情報書き込み装置）
３０６          アンテナ（書き込み装置側アンテナ）
Ｔo             無線タグ回路素子
【図１】
2006277211.tif 000003
【図２】
2006277211.tif 000004
【図３】
2006277211.tif 000005
【図４】
2006277211.tif 000006
【図５】
2006277211.tif 000007
【図６】
2006277211.tif 000008
【図７】
2006277211.tif 000009
【図８】
2006277211.tif 000010
【図９】
2006277211.tif 000011
【図１０】
2006277211.tif 000012
【図１１】
2006277211.tif 000013
【図１２】
2006277211.tif 000014
【図１３】
2006277211.tif 000015